(57)【要約】【課題】  ２つの別個独立した受信器である第１受信器および第２受信器に、それぞれ、コンテンツの映像データおよび同コンテンツの音声データを配信し、映像データと音声データの同期性を確保しつつ第１受信器および第２受信器で再生するデジタル方式情報配信システムを提供する。【解決手段】  本発明は、映像データ・パケットと映像同期信号パケットを第１受信器に向けて配信し、音声データ・パケットと映像同期信号パケットと同一の参照時間軸上のある時刻を示す音声同期信号パケットを第２受信器に向けて配信する送信サーバと、映像同期信号パケットに基づいてクロックを調整し、そのクロックに基づいて映像データ・パケットを再生する第１受信器と、音声同期信号パケットに基づいてクロックを調整し、そのクロックに基づいて音声データ・パケットを再生する第２受信器を有するデジタル方式情報配信システムを提供する。【選択図】図２
2007274019.tif 000002
【特許請求の範囲】
【請求項１】
伝送路を介して受信器に向けてデータ・パケットをデジタル方式で配信する送信サーバであって、
コンテンツの映像情報のデジタル・データを含む映像データ・パケットと、映像同期信号を含む映像同期信号パケットと、同コンテンツの音声情報のデジタル・データを含む音声データ・パケットと、音声同期信号を含む音声同期信号パケットを生成する生成部、および、
前記映像データ・パケットおよび前記映像同期信号パケットを、第１受信器に向けて配信し、前記音声データ・パケットおよび前記音声同期信号パケットを、第２受信器に向けて配信可能な送出部を有する送信サーバ。
【請求項２】
前記映像データ・パケットは、前記映像データ・パケットが再生されるタイミングの情報である映像再生タイミング・データを含み、
前記音声データ・パケットは、前記音声データ・パケットが再生されるタイミングの情報である音声再生タイミング・データを含む請求項１に記載の送信サーバ。
【請求項３】
前記映像同期信号は、前記映像再生タイミング・データを所定の参照時間軸上の第１の時刻に対応付ける映像データ再生用基準時刻値を含み、
前記音声同期信号は、前記音声再生タイミング・データを前記所定の参照時間軸上の第２の時刻と対応付ける音声データ再生用基準時刻値を含む請求項２に記載の送信サーバ。
【請求項４】
前記映像情報および前記音声情報はそれぞれ、ＭＰＥＧ方式で圧縮符号化され、
前記映像再生タイミング・データは、前記映像情報のプレゼンテーション・タイム・スタンプに基づくデータであり、前記音声再生タイミング・データは、前記音声情報のプレゼンテーション・タイム・スタンプに基づくデータである請求項３に記載の送信サーバ。
【請求項５】
前記送出部は、前記映像データ・パケットおよび前記音声データ・パケットを、ＲＴＰパケットとして配信し、前記映像同期信号パケットおよび前記音声同期信号パケットを、ＲＴＣＰパケットとして配信する請求項１に記載の送信サーバ。
【請求項６】
前記送出部は、前記第１受信器および前記第２受信器に、前記コンテンツを含む１つまたは複数のコンテンツのデータ・パケットをマルチキャスト方式で配信する請求項１に記載の送信サーバ。
【請求項７】
さらに、前記１つまたは複数のコンテンツの配信方法に関する情報であるコンテンツ参照テーブルを生成するコンテンツ参照テーブル生成部を備え、
前記送出部は、前記第１受信器および前記第２受信器に、前記コンテンツ参照テーブルを配信する請求項６に記載の送信サーバ。
【請求項８】
前記コンテンツ参照テーブルは、前記１つまたは複数のコンテンツのいずれかに含まれる音声データ・パケット、音声同期信号パケット、映像データ・パケット、および、映像同期信号パケットそれぞれについて、前記送出部が送出に用いるポート番号およびマルチキャストアドレスの少なくともいずれか１つに関する情報を含む請求項７に記載の送信サーバ。
【請求項９】
伝送路を介して配信される第１コンテンツの映像情報のデジタル・データを含む第１映像データ・パケットと前記第１映像データ・パケットの映像同期信号を含む第１映像同期信号パケットと、第２コンテンツの音声情報のデジタル・データを含む第２音声データ・パケットと前記第２音声データ・パケットの音声同期信号を含む第２音声同期信号パケットとを受信する受信器であって、
前記第１映像データ・パケットをバッファリングする第１バッファ部、
前記第２音声データ・パケットをバッファリングする第２バッファ部、
前記第１映像同期信号パケットに基づいてクロックを調整可能な第１クロック生成部、
前記第２音声同期信号パケットに基づいてクロックを調整可能な第２クロック生成部、
前記第１クロック生成部の発する第１クロックに基づいて前記第１映像データ・パケットを再生する第１デコーダ部、および、
前記第２クロック生成部の発する第２クロックに基づいて前記第２音声データ・パケットを再生する第２デコーダ部を有する受信器。
【請求項１０】
マルチキャスト方式で配信される前記第１映像データ・パケットと、前記第１映像同期信号パケットと、前記第２音声データ・パケットと、前記第２音声同期信号パケットの受信に加え、同じくマルチキャスト方式で配信される、前記第１コンテンツの音声情報のデジタル・データを含む第１音声データ・パケットおよび前記第１音声データ・パケットの音声同期情報を含む第１音声同期信号パケット、ならびに、前記第２コンテンツの映像情報のデジタル・データを含む第２映像データ・パケットおよび前記第２映像データ・パケットの映像同期情報を含む第２映像同期信号パケット、を受信することができ、
さらに、受信した、前記第１映像データ・パケット、前記第１映像同期信号パケット、前記第１音声データ・パケット、前記第１音声同期信号パケット、前記第２映像データ・パケット、前記第２映像同期信号パケット、前記第２音声データ・パケット、および、前記第２音声同期信号パケットのうち、
前記第１デコーダ部には、前記第１映像データ・パケットを前記第１映像同期信号パケットに基づいて再生させ、前記第２デコーダ部には、前記第２音声データ・パケットを前記第２音声同期信号パケットに基づいて再生させるように前記第１バッファ部、前記第２バッファ部、前記第１クロック生成部、前記第２クロック生成部に送られるパケットの振り分けを制御する、コンテンツ選択司令部を有する請求項９に記載の受信器。
【請求項１１】
前記受信器は、旅客輸送施設における座席に備え付けられる請求項９に記載の受信器。
【請求項１２】
送信サーバを備え伝送路を介してデータ・パケットをデジタル方式で配信する送信設備と、前記データ・パケットを受信する第１受信器および第２受信器を備えた受信設備を有するデジタル方式情報配信システムであって、
前記送信サーバは、
第１コンテンツの映像情報のデジタル・データを含む第１映像データ・パケットと、第１映像同期信号を含む第１映像同期信号パケットと、前記第１コンテンツの音声情報のデジタル・データを含む第１音声データ・パケットと、第１音声同期信号を含む第１音声同期信号パケットを生成する生成部、および、
前記第１映像データ・パケットおよび前記第１映像同期信号パケットを、前記第１受信器に向けて配信し、前記第１音声データ・パケットおよび前記第１音声同期信号パケットを、前記第２受信器に向けて配信可能な送出部を有し、
前記第１受信器は、前記第１映像データ・パケットおよび前記第１映像同期信号パケットを受信可能であって、
前記第１映像データ・パケットをバッファリングする第１バッファ部と、
前記第１映像同期信号パケットに基づいてクロックを調整可能な第１クロック生成部と、
前記第１クロック生成部の発する第１クロックに基づいて前記第１映像データ・パケットを再生する第１デコーダ部を含み、
前記第２受信器は、前記第１音声データ・パケットおよび前記第１音声同期信号パケットを受信可能であって、
前記第１音声データ・パケットをバッファリングする第２バッファ部と、
前記第１音声同期信号パケットに基づいてクロックを調整可能な第２クロック生成部と、
前記第２クロック生成部の発する第２クロックに基づいて前記第１音声データ・パケットを再生する第２デコーダ部を含むデジタル方式情報配信システム。
【請求項１３】
前記生成部は、さらに、
第２コンテンツの映像情報のデジタル・データを含む第２映像データ・パケットと、第２映像同期信号を含む第２映像同期信号パケットを生成可能であり、
前記送出部は、さらに、
前記第２映像データ・パケットおよび前記第２映像同期信号パケットを、前記第２受信器に向けて配信可能であり、
前記第２受信器は、前記第２映像データ・パケットおよび前記第２映像同期信号パケットを受信可能であって、さらに、
前記第２映像データ・パケットをバッファリングする第３バッファ部と、
前記第２映像同期信号パケットに基づいてクロックを調整可能な第３クロック生成部と、
前記第３クロック生成部の発する第３クロックに基づいて前記第２映像データ・パケットを再生する第３デコーダ部を含む請求項１２に記載のデジタル方式情報配信システム。
【請求項１４】
前記第１映像データ・パケットは、前記第１映像データ・パケットが再生されるタイミングの情報である第１映像再生タイミング・データを含み、
前記第２映像データ・パケットは、前記第２映像データ・パケットが再生されるタイミングの情報である第２映像再生タイミング・データを含み、
前記第１音声データ・パケットは、前記第１音声データ・パケットが再生されるタイミングの情報である第１音声再生タイミング・データを含む請求項１３に記載のデジタル方式情報配信システム。
【請求項１５】
前記第１映像同期信号は、前記第１映像再生タイミング・データを所定の第１参照時間軸上の第１の時刻に対応付ける第１映像データ再生用基準時刻値を含み、
前記第１音声同期信号は、前記第１音声再生タイミング・データを前記所定の第１参照時間軸上の第２の時刻に対応付ける第１音声データ再生用基準時刻値を含む請求項１４に記載のデジタル方式情報配信システム。
【請求項１６】
前記第２映像同期信号は、前記第２映像再生タイミング・データを所定の第２参照時間軸上の第３の時刻に対応付ける第２映像データ再生用基準時刻値を含む請求項１５に記載のデジタル方式情報配信システム。
【請求項１７】
送信設備は、さらに、前記送信サーバと有線伝送路で接続された電波中継機を備え、
前記電波中継機と前記受信設備との間に含まれる前記伝送路は、無線伝送路である請求項１２に記載のデジタル方式情報配信システム。
【請求項１８】
前記送信サーバの送出部は、前記第１受信器および前記第２受信器に、前記第１コンテンツを含む１つまたは複数のコンテンツのデータ・パケットをマルチキャスト方式で配信する請求項１２に記載のデジタル方式情報配信システム。
【請求項１９】
前記送信サーバは、さらに、前記１つまたは複数のコンテンツの配信方法に関する情報であるコンテンツ参照テーブルを生成するコンテンツ参照テーブル生成部を備え、
前記送出部は、前記第１受信器および前記第２受信器に、前記コンテンツ参照テーブルを配信する請求項１８に記載のデジタル方式情報配信システム。
【請求項２０】
前記コンテンツ参照テーブルは、前記１つまたは複数のコンテンツのいずれかに含まれる音声データ・パケット、音声同期信号パケット、映像データ・パケット、および、映像同期信号パケットそれぞれについて、前記送出部が送出に用いるポート番号およびマルチキャストアドレスの少なくともいずれか１つに関する情報を含む請求項１９に記載のデジタル方式情報配信システム。
【請求項２１】
伝送路を介して複数のデータ・パケットをデジタル方式で配信する送信設備と、前記複数のデータ・パケットを受信する受信器を少なくとも２つ備える受信設備を有するデジタル方式情報配信システムにおいて、前記送信設備から前記複数のデータ・パケットを前記受信設備の第１受信器および第２受信器に送出する方法であって、
コンテンツの映像情報のデジタル・データである第１送出データ・パケットを生成する第１生成ステップと、
同コンテンツの音声情報のデジタル・データである第２送出データ・パケットを生成する第２生成ステップと、
前記第１送出データ・パケットの再生タイミングを所定の参照時間軸における第１の時刻に対応付ける第１データ用基準時刻値を含む第１同期信号パケットを生成する第３生成ステップと、
前記第２送出データ・パケットの再生タイミングを前記所定の参照時間軸における第２の時刻に対応付ける第２データ用基準時刻値を含む第２同期信号パケットを生成する第４生成ステップと、
前記第１送出データ・パケットおよび前記第１同期信号パケットを第１受信器に向けて送出する第１送出ステップと、
前記第２送出データ・パケットおよび前記第２同期信号パケットを第２受信器に向けて送出する第２送出ステップを有する方法。
【請求項２２】
前記第１送出ステップは、前記第１送出データ・パケットをＲＴＰパケットとして、前記第１同期信号をＲＴＣＰパケットとして送出し、
前記第２送出ステップは、前記第２送出データ・パケットをＲＴＰパケットとして、前記第２同期信号をＲＴＣＰパケットとして送出する請求項２１に記載の方法。
【請求項２３】
前記第１送出ステップと前記第２送出ステップは、マルチキャスト方式を用いてデータ・パケットを送出し、
さらに、前記コンテンツの配信方法に関する情報であるコンテンツ参照テーブルを生成するステップと、
前記コンテンツ参照テーブルを前記第１受信器および前記第２受信器に配信するステップを有する請求項２１に記載の方法。
【発明の詳細な説明】
【技術分野】
【０００１】
本発明は、デジタル方式情報配信システムに関する。本発明は特に、デジタル方式で映像信号を含むデータおよび音声信号を含むデータの少なくともいずれかを送信する送信設備、ならびに、当該信号を受信する受信設備を有するデジタル方式情報配信システムに関する。
【背景技術】
【０００２】
現在、例えば、旅客輸送用航空機は、客室内に、緊急用途、娯楽用途等に様々な情報を乗客に提供する情報システムを備える。この情報システムは、その一態様において、情報ソースを記憶し適宜配信する送信設備と、当該送信設備と有線および／または無線伝送路で接続された受信設備を備えた情報配信システムとして構成される。当該システムにおける受信設備は、受信設備本体、音声出力装置（例えば、ヘッドフォン）、および、映像出力装置（例えば、液晶ディスプレイ）を有する。受信設備本体は、各座席に内蔵され、映像信号および音声信号ならびに制御信号等を受信し、映像信号および音声信号を受信設備本体と接続された音声出力装置および映像出力装置に出力する。乗客は、座席に内蔵の受信設備本体ならびに音声出力装置および映像出力装置を介し、送信設備に記憶もしくは送信設備においてリアルタイムに生成された音声および映像情報を享受する。
【０００３】
映像出力装置は、時として座席のヘッド・レスト背面に備えられる。この場合、映像出力装置は、接続された受信設備本体を内蔵する座席の後ろの座席に着席する乗客のための映像を出力することになる。そのため、各座席に内蔵された受信設備本体は、受信設備本体を内蔵する座席に着席する乗客のための音声を音声出力装置に出力し、受信設備本体を内蔵する座席の後ろの座席に着席する乗客のための映像を映像出力装置に出力する。
【０００４】
特許文献１は、上述のような態様を有する情報システムに適用可能な情報伝送装置を開示する。特許文献１の情報伝送装置においては、送信設備は、アナログ方式で複数の映像信号および音声信号ならびに制御信号を多重し、当該多重化された信号を一の伝送路に送出する。送出された信号は、伝送路の一部を構成する無線伝送路を介し各座席に配された受信設備へ送られる。受信設備は、多重化された信号から、選択的に、受信設備が配された座席に着席する乗客のための音声およびこの受信設備が配された座席の後ろの座席に着席する乗客のための映像を再生する。
【０００５】
これとは別に従来の情報提供用設備において、送信設備と受信設備とが、デジタル方式の有線伝送路で接続された態様も存在する。この態様においては、情報は、送信設備においてデジタル方式で圧縮符号化され、さらに複数の番組やサービスを多重化したデジタル・データとして有線伝送路に送出される。
【０００６】
デジタル方式で圧縮符号化され多重化された番組もしくはサービスの情報は、各座席に内蔵された受信設備において選択的に復号される。特許文献１に記載の態様と同様に映像出力装置が各座席の背面に備えられている場合、受信設備は、その座席の後ろの座席に着席する乗客のための番組もしくはサービスを構成するデータを復号する。そして受信設備は復号化された番組もしくはサービスの映像および音声信号のうち、映像信号を受信設備に接続された映像出力装置に出力する。その一方、受信設備が復号化した番組もしくはサービスの音声信号は、有線伝送路に対して再び送出され、１つ後ろの座席に内蔵された別の受信設備によってこの復号化音声信号が受信され、この別の受信設備が、それに接続された音声出力装置に当該音声信号を出力する。つまり、本例において座席に内蔵された受信設備はそれぞれ、その１つ後方の座席の乗客のための番組もしくはサービスに含まれる映像ならびに音声データを復号する。そのため、音声データは、復号化された後で再び有線伝送路に戻され、１つ後方の座席に配された別の受信設備に送られ、その別の受信設備に接続された音声出力装置に出力される。このようにデータを復号化する主体とそれを再生出力する主体とが異なるのは、圧縮符号化された信号を復号化する手段を一の受信設備に委ねることにより復号される音声および映像の同期性を確保するためである。
【０００７】
前段記載の態様では、伝送路を介して、復号化された後の音声信号を伝送する。よって、この態様は、伝送路として、比較的伝送可能情報量に恵まれた伝送路（例えば、ケーブル接続されたイーサネット）の使用を前提とする。
【０００８】
しかし、有線伝送路を航空機客室内に隈無く配置することは、当然ながら機体重量の増加を招く。さらに機体重量増に加え、客室内座席レイアウトを変更する際には、有線伝送路を一旦、座席近傍で分離する必要があるため、レイアウト変更を航空機運用スケジュールに組み込む場合には多くの時間を確保せねばならない。結果、航空機運用効率を低下させる。そのため、昨今のデジタル放送・通信技術を用いながら、送信設備と、各座席に配された受信設備の間の伝送路を無線化することが強く望まれている。
【０００９】
しかしながら、無線伝送路は、伝送可能情報量の点で有線伝送路に劣る。そのため、従来技術のように、一の受信設備において一旦復号化した信号を再度、伝送路を用いて送信し、別の受信設備において受信し再生するといった態様は、望ましい技術的方法論ではない。
【００１０】
上記の問題を回避するため、一の座席に内蔵の受信設備において、番組もしくはサービスの圧縮符号化された映像信号を復号して後方の乗客のために再生し、同時に、後方座席に内蔵の別個の受信設備において、同一の番組もしくはサービスの圧縮符号化音声信号を復号して再生する、といった技術的方法論は、当然のように想起される。だが、この場合、別々の受信設備が圧縮符号化された映像および音声信号を受信し、別個独立的に、各受信設備が受信信号を復号化して再生することになり、映像および音声信号間の同期性の崩れが懸念される。
【特許文献１】特開昭６３−２１９２８９号公報
【発明の開示】
【発明が解決しようとする課題】
【００１１】
本発明は、上記懸念を解消するためになされたものである。即ち、本発明は、２つの別個独立した受信設備である第１受信設備および第２受信設備に、それぞれ第１デジタル・データおよび第２デジタル・データを個別的に配信し、第１デジタル・データと第２デジタル・データの同期性を確保しつつ再生可能なデジタル方式情報配信システムを提供する。
【課題を解決するための手段】
【００１２】
本発明は、その一態様において、伝送路を介して受信器に向けてデータ・パケットをデジタル方式で配信する送信サーバであって、コンテンツの映像情報のデジタル・データを含む映像データ・パケットと、映像同期信号を含む映像同期信号パケットと、同コンテンツの音声情報のデジタル・データを含む音声データ・パケットと、音声同期信号を含む音声同期信号パケットを生成する生成部、および、映像データ・パケットおよび映像同期信号パケットを、第１受信器に向けて配信し、音声データ・パケットおよび音声同期信号パケットを、第２受信器に向けて配信可能な送出部を有する送信サーバである。
【００１３】
本発明においては、映像データ・パケットは、映像データ・パケットが再生されるタイミングの情報である映像再生タイミング・データを含み、音声データ・パケットは、音声データ・パケットが再生されるタイミングの情報である音声再生タイミング・データを含むことが好ましい。
【００１４】
本発明においては、映像同期信号は、映像再生タイミング・データを所定の参照時間軸上の第１の時刻に対応付ける映像データ再生用基準時刻値を含み、音声同期信号は、音声再生タイミング・データを所定の参照時間軸上の第２の時刻と対応付ける音声データ再生用基準時刻値を含むことが好ましい。
【００１５】
本発明においては、映像情報および音声情報はそれぞれ、ＭＰＥＧ方式で圧縮符号化され、映像再生タイミング・データは、映像情報のプレゼンテーション・タイム・スタンプに基づくデータであり、音声再生タイミング・データは、音声情報のプレゼンテーション・タイム・スタンプに基づくデータであることが好ましい。
【００１６】
本発明においては、送出部は、映像データ・パケットおよび音声データ・パケットを、ＲＴＰパケットとして配信し、映像同期信号パケットおよび音声同期信号パケットを、ＲＴＣＰパケットとして配信することが好ましい。
【００１７】
本発明においては、送出部は、第１受信器および第２受信器に、コンテンツを含む１つまたは複数のコンテンツのデータ・パケットをマルチキャスト方式で配信することが好ましい。
【００１８】
本発明においては、さらに、１つまたは複数のコンテンツの配信方法に関する情報であるコンテンツ参照テーブルを生成するコンテンツ参照テーブル生成部を備え、送出部は、第１受信器および第２受信器に、コンテンツ参照テーブルを配信することが好ましい。
【００１９】
本発明においては、コンテンツ参照テーブルは、１つまたは複数のコンテンツのいずれかに含まれる音声データ・パケット、音声同期信号パケット、映像データ・パケット、および、映像同期信号パケットそれぞれについて、送出部が送出に用いるポート番号およびマルチキャストアドレスの少なくともいずれか１つに関する情報を含むことが好ましい。
【００２０】
本発明は、別の態様において、伝送路を介して配信される第１コンテンツの映像情報のデジタル・データを含む第１映像データ・パケットと第１映像データ・パケットの映像同期信号を含む第１映像同期信号パケットと、第２コンテンツの音声情報のデジタル・データを含む第２音声データ・パケットと第２音声データ・パケットの音声同期信号を含む第２音声同期信号パケットとを受信する受信器であって、第１映像データ・パケットをバッファリングする第１バッファ部、第２音声データ・パケットをバッファリングする第２バッファ部、第１映像同期信号パケットに基づいてクロックを調整可能な第１クロック生成部、第２音声同期信号パケットに基づいてクロックを調整可能な第２クロック生成部、第１クロック生成部の発する第１クロックに基づいて第１映像データ・パケットを再生する第１デコーダ部、および、第２クロック生成部の発する第２クロックに基づいて第２音声データ・パケットを再生する第２デコーダ部を有する受信器である。
【００２１】
本発明においては、マルチキャスト方式で配信される第１映像データ・パケットと、第１映像同期信号パケットと、第２音声データ・パケットと、第２音声同期信号パケットの受信に加え、同じくマルチキャスト方式で配信される、第１コンテンツの音声情報のデジタル・データを含む第１音声データ・パケットおよび第１音声データ・パケットの音声同期情報を含む第１音声同期信号パケット、ならびに、第２コンテンツの映像情報のデジタル・データを含む第２映像データ・パケットおよび第２映像データ・パケットの映像同期情報を含む第２映像同期信号パケット、を受信することができ、さらに、受信した、第１映像データ・パケット、第１映像同期信号パケット、第１音声データ・パケット、第１音声同期信号パケット、第２映像データ・パケット、第２映像同期信号パケット、第２音声データ・パケット、および、第２音声同期信号パケットのうち、第１デコーダ部には、第１映像データ・パケットを第１映像同期信号パケットに基づいて再生させ、第２デコーダ部には、第２音声データ・パケットを第２音声同期信号パケットに基づいて再生させるように第１バッファ部、第２バッファ部、第１クロック生成部、第２クロック生成部に送られるパケットの振り分けを制御する、コンテンツ選択司令部を有することが好ましい。
【００２２】
本発明においては、受信器は、旅客輸送施設における座席に備え付けられることが好ましい。
【００２３】
本発明は、さらに別の態様において、送信サーバを備え伝送路を介してデータ・パケットをデジタル方式で配信する送信設備と、データ・パケットを受信する第１受信器および第２受信器を備えた受信設備を有するデジタル方式情報配信システムであって、送信サーバは、第１コンテンツの映像情報のデジタル・データを含む第１映像データ・パケットと、第１映像同期信号を含む第１映像同期信号パケットと、第１コンテンツの音声情報のデジタル・データを含む第１音声データ・パケットと、第１音声同期信号を含む第１音声同期信号パケットを生成する生成部、および、第１映像データ・パケットおよび第１映像同期信号パケットを、第１受信器に向けて配信し、第１音声データ・パケットおよび第１音声同期信号パケットを、第２受信器に向けて配信可能な送出部を有し、第１受信器は、第１映像データ・パケットおよび第１映像同期信号パケットを受信可能であって、第１映像データ・パケットをバッファリングする第１バッファ部と、第１映像同期信号パケットに基づいてクロックを調整可能な第１クロック生成部と、第１クロック生成部の発する第１クロックに基づいて第１映像データ・パケットを再生する第１デコーダ部を含み、第２受信器は、第１音声データ・パケットおよび第１音声同期信号パケットを受信可能であって、第１音声データ・パケットをバッファリングする第２バッファ部と、第１音声同期信号パケットに基づいてクロックを調整可能な第２クロック生成部と、第２クロック生成部の発する第２クロックに基づいて第１音声データ・パケットを再生する第２デコーダ部を含むデジタル方式情報配信システムである。
【００２４】
本発明においては、生成部は、さらに、第２コンテンツの映像情報のデジタル・データを含む第２映像データ・パケットと、第２映像同期信号を含む第２映像同期信号パケットを生成可能であり、送出部は、さらに、第２映像データ・パケットおよび第２映像同期信号パケットを、第２受信器に向けて配信可能であり、第２受信器は、第２映像データ・パケットおよび第２映像同期信号パケットを受信可能であって、さらに、第２映像データ・パケットをバッファリングする第３バッファ部と、第２映像同期信号パケットに基づいてクロックを調整可能な第３クロック生成部と、第３クロック生成部の発する第３クロックに基づいて第２映像データ・パケットを再生する第３デコーダ部を含むことが好ましい。
【００２５】
本発明においては、第１映像データ・パケットは、第１映像データ・パケットが再生されるタイミングの情報である第１映像再生タイミング・データを含み、第２映像データ・パケットは、第２映像データ・パケットが再生されるタイミングの情報である第２映像再生タイミング・データを含み、第１音声データ・パケットは、第１音声データ・パケットが再生されるタイミングの情報である第１音声再生タイミング・データを含むことが好ましい。
【００２６】
本発明においては、第１映像同期信号は、第１映像再生タイミング・データを所定の第１参照時間軸上の第１の時刻に対応付ける第１映像データ再生用基準時刻値を含み、第１音声同期信号は、第１音声再生タイミング・データを所定の第１参照時間軸上の第２の時刻に対応付ける第１音声データ再生用基準時刻値を含むことが好ましい。
【００２７】
本発明においては、第２映像同期信号は、第２映像再生タイミング・データを所定の第２参照時間軸上の第３の時刻に対応付ける第２映像データ再生用基準時刻値を含むことが好ましい。
【００２８】
本発明においては、送信設備は、さらに、送信サーバと有線伝送路で接続された電波中継機を備え、電波中継機と受信設備との間に含まれる伝送路は、無線伝送路であることが好ましい。
【００２９】
本発明においては、送信サーバの送出部は、第１受信器および第２受信器に、第１コンテンツを含む１つまたは複数のコンテンツのデータ・パケットをマルチキャスト方式で配信することが好ましい。
【００３０】
本発明においては、送信サーバは、さらに、１つまたは複数のコンテンツの配信方法に関する情報であるコンテンツ参照テーブルを生成するコンテンツ参照テーブル生成部を備え、送出部は、第１受信器および第２受信器に、コンテンツ参照テーブルを配信することが好ましい。
【００３１】
本発明においては、コンテンツ参照テーブルは、１つまたは複数のコンテンツのいずれかに含まれる音声データ・パケット、音声同期信号パケット、映像データ・パケット、および、映像同期信号パケットそれぞれについて、送出部が送出に用いるポート番号およびマルチキャストアドレスの少なくともいずれか１つに関する情報を含むことが好ましい。
【００３２】
本発明は、なおさらに別の態様において、伝送路を介して複数のデータ・パケットをデジタル方式で配信する送信設備と、複数のデータ・パケットを受信する受信器を少なくとも２つ備える受信設備を有するデジタル方式情報配信システムにおいて、送信設備から複数のデータ・パケットを受信設備の第１受信器および第２受信器に送出する方法であって、コンテンツの映像情報のデジタル・データである第１送出データ・パケットを生成する第１生成ステップと、同コンテンツの音声情報のデジタル・データである第２送出データ・パケットを生成する第２生成ステップと、第１送出データ・パケットの再生タイミングを所定の参照時間軸における第１の時刻に対応付ける第１データ用基準時刻値を含む第１同期信号パケットを生成する第３生成ステップと、第２送出データ・パケットの再生タイミングを所定の参照時間軸における第２の時刻に対応付ける第２データ用基準時刻値を含む第２同期信号パケットを生成する第４生成ステップと、第１送出データ・パケットおよび第１同期信号パケットを第１受信器に向けて送出する第１送出ステップと、第２送出データ・パケットおよび第２同期信号パケットを第２受信器に向けて送出する第２送出ステップを有する方法である。
【００３３】
本発明においては、第１送出ステップは、第１送出データ・パケットをＲＴＰパケットとして、第１同期信号をＲＴＣＰパケットとして送出し、第２送出ステップは、第２送出データ・パケットをＲＴＰパケットとして、第２同期信号をＲＴＣＰパケットとして送出することが好ましい。
【００３４】
本発明においては、第１送出ステップと第２送出ステップは、マルチキャスト方式を用いてデータ・パケットを送出し、さらに、コンテンツの配信方法に関する情報であるコンテンツ参照テーブルを生成するステップと、コンテンツ参照テーブルを第１受信器および第２受信器に配信するステップを有することが好ましい。
【発明の効果】
【００３５】
本発明にかかるデジタル方式情報配信システムにより、システムを構成する複数の受信器相互間の同期を要することなく、第１の受信器において第１のデータを再生する第１の再生タイミングと、第２の受信器において第２データを再生する再生タイミングが実質的に完璧に同期される。
【発明を実施するための最良の形態】
【００３６】
添付の図面を参照し、本発明の実施形態について詳細に説明する。なお、本実施形態は、本発明を例示するための実施形態例に過ぎない。
【００３７】
（第１の実施形態）
本実施形態は、本発明にかかるデジタル方式情報配信システムを用いた航空機客室内の情報システムである。図１は、航空機の客室の一部を側方より見た模式図である。
【００３８】
最初に本システムの構成要素について概説する。本システムは、大別して送信設備と受信設備に区分される。
【００３９】
＜送信設備構成概略＞
先ず送信設備の構成要素について説明する。送信設備は、送信サーバ１０１および有線伝送路との接続機能を有する電波中継機であるアクセス・ポイント１０５を有する。送信サーバ１０１は、乗客に提供（配信）するコンテンツ・データ（番組もしくはサービス等のデータ）を記憶する機能、コンテンツ・データを元にデータ・ストリームを生成する機能、生成したデータ・ストリームを受信設備に配信する機能を備える。送信サーバ１０１はさらに、リアルタイムに例えばアテンダントの音声や機外に備えられたカメラからの映像等を処理してデジタル・データ化し、それらデジタル・データよりデータ・ストリームを生成し、生成したデータ・ストリームを受信設備に配信する機能等を備えることもできる。ここでコンテンツ・データは、映像データおよび音声データならびに各種制御データを含むことができる。これらデータ群は、所定の規約（例えば、ＭＰＥＧ）に則った圧縮方式で圧縮符号化された状態で記憶されてもよい。データ・ストリームとは、少なくとも１つのコンテンツ・データを構成するデータ群（音声データ、映像データ、および、制御データ等）の少なくともいずれかを所定の規約に従って圧縮符号化もしくは少なくとも符号化して生成したデジタル・データを１つ以上多重してなるデジタル・データ列である。この、コンテンツ・データからデータ・ストリームを生成する動作は、後で詳細に説明する。
【００４０】
送信サーバ１０１の送出するデータ・ストリームは、有線伝送路１０３を介してアクセス・ポイント１０５に送られる。アクセス・ポイント１０５は、例えば客室天井部１０７に設置することができ、無線伝送路１０９を介し受信設備に対しデータの配信を行うことができる。送信サーバ１０１とアクセス・ポイント１０５の間の通信は、パケット通信網であるいわゆるインターネットの規約に従ったものでよい。ただし、インターネットに制限されず、インターネット以外の他の通信規約に従ってもよい。インターネットを利用する場合、送信サーバ１０１とアクセス・ポイント１０５は、イーサネット等で接続され、伝送制御プロトコル（ＴＣＰ）もしくはユーザ・データグラム・プロトコル（ＵＤＰ）、ならびに、インターネット・プロトコル（ＩＰ）に準拠したパケットを、データ・フレームとして所定のデータ転送手順に従って両者間で交換する。アクセス・ポイント１０５は、データリンク層として例えばＩＥＥＥ８０２．１１ｂ等に準拠したデータ・フレーム構成およびその通信手順を用いて座席に備えられた受信設備と、データの交換を行えばよい。
【００４１】
＜受信設備構成概略＞
次に、受信設備の構成要素について説明する。受信設備は、座席ＳａおよびＳｂにそれぞれ配された、第１および第２受信器１１１ａおよび１１１ｂと、映像出力装置である液晶ディスプレイ１１５ａおよび１１５ｂと、音声出力端子１１７ａおよび１１７ｂと、音声出力装置であるヘッドフォン１１９ａおよび１１９ｂを備える。液晶ディスプレイ１１５ａおよび１１５ｂはそれぞれ、各座席のヘッド・レスト背面に備え付けられ、接続する受信器を内蔵する座席の１つ後方の座席に着席する乗客に映像提供可能に配される。当然のことながら、座席は２席に限定されない。航空機が３以上の座席を備える場合、本システムは、第３以降の受信器等を備えることができる。
【００４２】
第１および第２受信器１１１ａおよび１１１ｂはそれぞれ、アンテナ部１１３ａおよび１１３ｂを備える。第１および第２受信器１１１ａおよび１１１ｂは、アンテナ部１１３ａおよび１１３ｂを用いてアクセス・ポイント１０５の発する電波を受信する機能と、受信したデータ・フレームからパケット（例えば、インターネットを利用する場合であれば、ＩＰパケット（ＩＰデータグラム））を取り出す機能と、取り出されたパケット群よりデータ・ストリームを再構成する機能と、データ・ストリームを解析し多重化されて含まれる１以上のコンテンツ・データより各種データ（音声データ、映像データ、制御データ等）を個々に分離する機能と、各種データを構成するパケットをバッファリングする機能と、バッファリングしたパケットを、制御データ等ならびに音声データおよび映像データに含まれる再生タイミングの情報に基づいて適当なタイミングで復号し再生する機能を有する。受信したコンテンツ・データを再生する際、第１および第２受信器１１１ａおよび１１１ｂはそれぞれ個別独立的に動作し、液晶ディスプレイ１１５ａおよび１１５ｂへ映像信号を、音声出力端子１１７ａおよび１１７ｂへ音声信号を送出する。この、第１および第２受信器１１１ａおよび１１１ｂのコンテンツ再生動作は、後で詳細に説明する。送信サーバ１０１、アクセス・ポイント１０５、受信器１１１ａおよび１１１ｂ間の通信において使用するプロトコルには特に限定がない。任意のプロトコルを用いて本発明を実施することが可能である。この場合、送出されるコンテンツ・データ等は、使用するプロトコルに準拠して構成されればよい。なお、インターネットを利用する場合、データ・ストリームを構成するＩＰパケットは、例えば、ＵＤＰパケット（ＵＤＰセグメント）を含み、ＵＤＰパケットは、リアルタイム転送プロトコル（ＲＴＰ）に準拠したパケットを含むことができる。さらに、アクセス・ポイント１０５を介して送信サーバとの間でＲＴＰ制御プロトコル（ＲＴＣＰ）に準拠したパケットを、相互に交換することもできる。
【００４３】
液晶ディスプレイ１１５ａおよび１１５ｂはそれぞれ、第１および第２受信器１１１ａおよび１１１ｂより受けた映像信号に基づいて映像を表示する。また、音声出力端子１１７ａおよび１１７ｂに接続されたヘッドフォン１１９ａおよび１１９ｂはそれぞれ、第１および第２受信器１１１ａおよび１１１ｂより受けた音声信号に基づいて音声を出力する。
【００４４】
注意すべきは、例えば、第１受信器１１１ａの再生する音声は、座席Ｓａに着席する乗客に提供される音声情報である一方、当該音声の再生と同時的に液晶ディスプレイ１１５ａに再生表示される映像は、座席Ｓｂに着席する乗客に提供される映像情報である点である。同様、第２受信器１１１ｂは、座席Ｓｂの乗客に提供されるべき音声情報をヘッドフォン１１９ｂに出力すると共に、同時的に座席Ｓｂの後方に配される座席（図示せず）に着席する乗客に提供されるべき映像情報を液晶ディスプレイ１１５ｂに出力する。
【００４５】
＜送信サーバの構成＞
次に図２を参照しながら送信サーバ１０１について説明する。図２は、送信サーバ１０１の構成を示すブロック図である。送信サーバ１０１は、他のサーバ構成要素を制御する制御部２０１と、１つまたは複数のコンテンツ・データ２０５、２０７等を記憶する記憶部２０３と、コンテンツ・データ２０５、２０７等よりデータ・ストリームを生成するデータ・ストリーム生成部２０９と、生成したデータ・ストリームを送出するデータ・ストリーム送出部２１１を有する。さらに送信サーバ１０１は、外部より音声および／または映像を入力するための外部入力端子２１３を有してもよい。
【００４６】
また、送信サーバ１０１は、例えば、データ・ストリーム生成部２０９内に図示しないクロック生成器を備えてもよく、この場合、送信サーバ１０１は、クロック生成器の生成するクロックを用いてデータ・ストリームの生成を行うことができる。
【００４７】
これら送信サーバ１０１の各構成要素は、中央処理装置（ＣＰＵ）、メモリ、ハード・ディスク・ドライブ（ＨＤＤ）、コンパクト・ディスク・ドライブ（ＣＤドライブ）、デジタル・バーサタイル・ディスク・ドライブ（ＤＶＤドライブ）、ブルー・レイ・ディスク・ドライブ（ＢＤドライブ）、音声／映像入力端子、および、特定の信号処理に特化した専用回路、ならびに、ＣＰＵが実行可能なプログラムにより実現することができる。なお、記憶部２０３に記憶されるデータ（例えば、第１コンテンツ・データ２０５）は、音声および／または映像のデータ（例えば、第１音声データ２０５ａおよび／または第１映像データ２０５ｖ）等を含むことができ、例えばＭＰＥＧ方式でコード化された状態で記憶してもよい。本図においては、第１コンテンツ・データ２０５は、第１音声データ（Ｃ１ａｕｄｉｏ）２０５ａおよび第１映像データ（Ｃ１ｖｉｄｅｏ）２０５ｖならびに図示しない第１映像／第１音声同期用データを含み、第２コンテンツ・データ２０７は、第２音声データ（Ｃ２ａｕｄｉｏ）２０７ａおよび第２映像データ（Ｃ２ｖｉｄｅｏ）２０７ｖならびに図示しない第２映像／第２音声同期用データを有する。
【００４８】
＜データ・ストリームの生成動作＞
次に、データ・ストリーム生成部２０９におけるデータ・ストリーム生成について説明する。
【００４９】
≪コンテンツ・データの構成≫
図３（ａ）、（ｂ）、（ｃ）、および（ｄ）は、コンテンツ・データの１つである第１コンテンツ・データ２０５の構成を示す模式図である。図３（ａ）に示す第１コンテンツ・データ２０５は、図３（ｂ）に示す第１音声データＣ１ａｕｄｉｏ２０５ａ、図３（ｄ）に示す第１映像データＣ１ｖｉｄｅｏ２０５ｖを含み、図３（ｃ）に示す再生時における両データの再生タイミングの同期を取るための情報（第１映像／第１音声同期用データ）も第１コンテンツ・データ２０５内に含まれている。
【００５０】
図３（ｂ）に示すＣ１ａｕｄｉｏ（第１音声データ）２０５ａは、Ａ１、Ａ２、Ａ３、．．．なる音声データ・パケットを含む。これらパケットは、再生されるべきタイミングを示す情報、例えば、プレゼンテーション・タイム・スタンプ（ＰＴＳ）、を備えることができる。この再生タイミング情報は、データを構成するパケット間の相対的な再生タイミングの遅延量を示すものでよい。また、絶対的なパケット再生のタイミングを記述する情報であってもよい。本図は、各パケットのＰＴＳに沿って（横軸をＰＴＳの示すタイミングとして）Ｃ１ａｕｄｉｏ２０５ａを図示する。
【００５１】
同様、図３（ｄ）に示すＣ１ｖｉｄｅｏ２０５ｖは、Ｖ１、Ｖ２、Ｖ３、．．．なる映像データ・パケットを含む。これらパケットも、Ｃ１ａｕｄｉｏ２０５ａ同様、ＰＴＳを備えることができる。本図では、Ｃ１ａｕｄｉｏ２０５ａと同様、横軸をＰＴＳとしてＣ１ｖｉｄｅｏを図示する。
【００５２】
例えば、ＭＰＥＧ方式でコンテンツ・データを構成する場合、さらに、音声データと映像データのようにデータ間の再生同期を確保するためにシステム時刻基準参照値（ＳＣＲ）や、プログラム時刻基準値（ＰＣＲ）といった第１映像／第１音声同期用データを含む同期データ・パケットを追加し、映像と音声の同期に用いることができる。図３（ｄ）では、例としてＰＣＲを図示する。ＰＣＲは、ＣＶ１、ＣＡ１、ＣＶ２、ＣＡ２、．．．なるパケットを含む。ここで、ＣＡ１、ＣＡ２、．．．は、Ｃ１ａｕｄｉｏ（第１音声データ）２０５ａの再生タイミングの基礎となる第１音声データ用基準時刻値を含む同期データ・パケットであり、ＣＶ１、ＣＶ２、．．．は、Ｃ１ｖｉｄｅｏ（第１映像データ）２０５ｖの再生タイミングの基礎となる第１映像データ用基準時刻値を含む同期データ・パケットである。これら基準時刻値は、受信設備において参照され、受信設備は、基準時刻値を利用して受信設備における再生タイミング決定の基礎を成す受信設備のクロック生成器を調整し、各基準時刻値と音声データ・パケットや映像データ・パケットに含まれる再生タイミング情報とを対応付けし、再生のタイミングを決定する。
【００５３】
これらのパケット化されたデータを含む第１コンテンツ・データ２０５は、データ列（例えば、ＭＰＥＧ−２  プログラム・ストリーム（ＰＳ））を構成する。さらに他のＰＳと多重化すれば、複数のコンテンツ・データを含むデータ列（例えば、ＭＰＥＧ−２  トランスポート・ストリーム（ＴＳ））を構成することもできる。
【００５４】
≪データ・ストリーム生成部２０９の構成≫
図４は、図３に示すようなコンテンツ・データから、データ・ストリーム（１つまたは複数の送信先へ送出されるデータ列、以後、送出データ・ストリームとも称する。）を生成するデータ・ストリーム生成部２０９の詳細なブロック図である。また、図５は、本実施形態における映像音声データ配信のフローチャートである。
【００５５】
図４を参照すれば、データ・ストリーム生成部２０９は、記憶部２０３に記憶されたコンテンツ・データの音声データ（Ａ）と映像データ（Ｖ）を分離するＡ／Ｖ分離部４０１と、分離した音声データおよび映像データの少なくともいずれか一方に適切なタイミングで同期信号を挿入して送出データ・ストリームを構成する同期信号挿入部４０５を有する。また、データ・ストリーム生成部２０９は、クロックを発生させるクロック生成部（ＣＬＫ）４０７を備えることもできる。Ａ／Ｖ分離部４０１、および、同期信号挿入部４０５は、制御部２０１からの命令に従って処理を実行する。
【００５６】
≪送出データ・ストリーム生成・送出例≫
これより、データ・ストリーム生成部２０９における送出データ・ストリームの生成、および、データ・ストリーム送出部２１１における送出データ・ストリームの送出にかかる動作について、図５に示すフローチャートを参照しながら説明する。
【００５７】
例として、図６に示すようなコンテンツの配信状況を用いて動作の説明を行う。図６に示す状況においては、座席Ｓｂに着席する乗客は、第１コンテンツを視聴し、座席Ｓｃに着席する乗客は、第２コンテンツを視聴するものとする。同様、座席Ｓｄに着席する乗客は、第３コンテンツを視聴するものとする。ここで、第１コンテンツは、音声情報および映像情報を含む。第２、第３コンテンツも同様に、それぞれ音声情報および映像情報を含む。
【００５８】
制御部２０１の制御の下、記憶部２０３から、第１コンテンツ・データ２０５、第２コンテンツ・データ２０７、および、図２において図示されない第３コンテンツ・データは、データ・ストリーム生成部２０９のＡ／Ｖ分離部４０１に送られる。
【００５９】
これら３つのコンテンツ・データを受けたＡ／Ｖ分離部４０１は、第１、第２、第３コンテンツ・データを、それぞれ、第１音声データ２０５ａおよび第１映像データ２０５ｖ、第２音声データ２０７ａおよび第２映像データ２０７ｖ、ならびに、第３音声データおよび第３映像データに分離する（ステップＳ５０１）。
【００６０】
映像データと音声データに分離されたデータは、送信先別に送出データ・ストリームを構成する。以下、送出データ・ストリームの生成について説明する。なお、図６に示す状況において、第１映像データ２０５ｖは、座席Ｓａの第１受信器１１１ａに送られればよい。同様、第１音声データ２０５ａおよび第２映像データ２０７ｖは、座席Ｓｂの第２受信器１１１ｂに、第２音声データ２０７ａおよび第３映像データは、座席Ｓｃの第３受信器１１１ｃに、また、第３音声データは、座席Ｓｄの第４受信器１１１ｄに送られればよい。以下、図６に示す状況における送出データ・ストリームの生成および送出について説明する。
【００６１】
制御部２０１は、Ａ／Ｖ分離部４０１の行う上記分離、および、分離されたデータの同期信号挿入部４０５への転送を制御する。よって、制御部２０１は、随時同期信号挿入部４０５へ送られるデータについての、映像データ、音声データの別、および、各データの属するコンテンツの別、ならびに、Ａ／Ｖ分離部４０１より転送された各データの量等について認識可能である。ここで、各データの量とは、そのデータについて最近の同期信号挿入部４０５における同期信号の挿入からのデータ量等でよい。
【００６２】
制御部２０１は常時、Ａ／Ｖ分離部４０１から同期信号挿入部４０５へのデータの転送を制御し、監視し、転送データの種別を識別する（ステップＳ５０３）。転送されるデータが映像データである場合（ステップＳ５０３における「映像データ」）、制御部２０１は、その映像データについて、同期データを挿入すべきタイミングであるか否かを判断する（ステップＳ５０５）。制御部２０１が同期データを挿入すべきであると判断した場合（ステップＳ５０５における「ＹＥＳ」）、同期信号挿入部４０５は、その映像データ用の同期データを生成し、この同期データはデータ・ストリーム送出部２１１へ送られてデータ・ストリーム送出部２１１より送出される（ステップＳ５０７）。その後、当該映像データもデータ・ストリーム送出部２１１より送出される（ステップＳ５０９）。
【００６３】
ステップＳ５０５において制御部２０１が同期データを挿入する必要なしと判断した場合（ステップＳ５０５における「ＮＯ」）、ステップＳ５０７はスキップされ、その映像データは、データ・ストリーム送出部２１１へ送られ、データ・ストリーム送出部２１１より送出される（ステップＳ５０９）。ここで、制御部２０１の行うステップＳ５０７の判断は、制御部２０１の認識する最近の同期信号挿入以降に転送されたデータ量、または、最近の同期信号挿入からの経過時間等、適当な基準により行われればよい。
【００６４】
≪第１コンテンツの映像データに関する処理≫
同期信号挿入部４０５は、（ステップＳ５０５における「ＹＥＳ」の場合、）制御部２０１からの指令により、クロック生成器４０７からのクロック、第１映像データ２０５ｖに含まれるＰＴＳ等再生タイミング・データ、および第１コンテンツ・データに含まれるＳＣＲもしくはＰＣＲといった同期用データに基づいて、第１映像データ２０５ｖの再生タイミングの絶対的な基準時刻となる第１映像データ用基準時刻値を作成し、この第１映像データ用基準時刻値が記述されたパケットを含む第１映像同期データ（第１の受信器、即ち受信器１１１ａに配信されるべき映像同期データ）を生成し、データ・ストリーム送出部２１１に送る。なお、本ステップにおいて、当該基準時刻値の作成にクロック生成器４０７の発生するクロックを利用することは必須ではない。記憶部２０３に記憶された同期用データ（例えば、ＳＣＲやＰＣＲ）のみを利用して第１映像同期信号を作成してもよい。したがって、クロック生成器４０７は省略することも可能である。
【００６５】
同期信号挿入部４０５は、ステップＳ５０７における同期データのデータ・ストリーム送出部２１１に向けて送った後、第１映像データ２０５ｖをデータ・ストリーム送出部２１１に向けて送る。送られた第１映像同期データは、データ・ストリーム送出部２１１から送出され（ステップＳ５０７）、第１映像データ２０５ｖも、データ・ストリーム送出部２１１から送出される（ステップＳ５０９）。フローチャートより明らかだが、ステップＳ５０５において「ＮＯ」とされた映像データの場合、その映像データがデータ・ストリーム送出部２１１から送出（ステップＳ５０９）される直前における同期データの送出は行われない。
【００６６】
上記、第１映像データ２０５ｖに対する処理とは別に、並行して、他の音声および映像データに対する処理が実行される（ステップＳ５０３およびＳ５０５、ならびに、ステップＳ５０３およびＳ５１１。
【００６７】
≪第１コンテンツの音声データに関する処理≫
同期信号挿入部４０５は、（ステップＳ５１１における「ＹＥＳ」の場合、）制御部２０１からの指令により、クロック生成器４０７からのクロック、第１映像データ用基準時刻値、第１音声データ２０５ａに含まれるＰＴＳ等の再生タイミング・データ、および、第１コンテンツ・データに含まれるＳＣＲもしくはＰＣＲといった同期用データに基づき、第１音声データ２０５ａの再生タイミングの絶対的な基準時刻となる第１音声データ用基準時刻値を作成する。この第１音声データ用基準時刻値は、第１映像データ用基準時刻値と同一のスケールを持った参照時間軸で第１音声データ２０５ａの再生タイミングの絶対的な時刻を規定する。もって、この第１音声データ用基準時刻値と先述の第１映像データ用基準時刻値により、第１映像データ２０５ｖに含まれるＰＴＳ等再生タイミング・データと、第１音声データ２０５ａに含まれるＰＴＳ等再生タイミング・データの示す再生タイミングは、同一のスケールを持った参照時間軸上に規定（対応付け）される。同期信号挿入部４０５は、制御部２０１からの指令により、この第１音声データ用基準時刻値が記述されたパケットを含む第１音声同期データ（第２の受信器、即ち受信器１１１ｂに配信されるべき音声同期データ）を生成し、データ・ストリーム送出部２１１に送り、その後、第１音声データ２０５ａをデータ・ストリーム送出部２１１に送る。送られた第１音声同期データは、データ・ストリーム送出部２１１から送出され（ステップＳ５１３）、第１音声データ２０５ａも、データ・ストリーム送出部２１１から送出される（ステップＳ５１５）。フローチャートより明らかだが、ステップＳ５１１において「ＮＯ」とされた音声データの場合、その音声データがデータ・ストリーム送出部２１１から送出（ステップＳ５１５）される直前における同期データの送出は行われない。
【００６８】
≪第２コンテンツの映像データに関する処理≫
また、同期信号挿入部４０５は、第１映像データ２０５ｖに関する処理と同様に、制御部２０１からの指令により、クロック生成器４０７からのクロック、第２映像データ２０７ｖに含まれるＰＴＳ等再生タイミング・データ、および第２コンテンツ・データに含まれるＳＣＲもしくはＰＣＲといった同期用データに基づいて、第２映像データ２０７ｖの再生タイミングの絶対的な基準時刻となる第２映像データ用基準時刻値を作成し、この第２映像データ用基準時刻値が記述されたパケットを含む第２映像同期データ（第２の受信器、即ち受信器１１１ｂに配信されるべき映像同期データ）を生成し、データ・ストリーム送出部２１１に向けて送出し、その後、第２映像データ２０７ｖをデータ・ストリーム送出部２１１に向けて送出する。送られた第２映像同期データは、データ・ストリーム送出部２１１から送出され（ステップＳ５０７）、第２映像データ２０７ｖも、データ・ストリーム送出部２１１から送出される（ステップＳ５０９）。フローチャートより明らかだが、ステップＳ５０５において「ＮＯ」とされた映像データの場合、その映像データがデータ・ストリーム送出部２１１から送出（ステップＳ５０９）される直前における同期データの送出は行われない。
【００６９】
なお、第１映像／音声データ用基準時刻値と第２映像／音声データ用基準時刻値とは、同一の時間スケールおよび／または絶対値を有する参照時間軸に基づいて作成してもよいし、また、互いに異なる時間スケールおよび／または絶対値を有する参照時間軸を有してもよい。つまり、本発明は、第ｉ映像／音声データ用基準時刻値（ｉは自然数）と第ｊ映像／音声データ用基準時刻値（ｊは、ｉと異なる自然数）との関係性を一切規定しない。両者の対応は、任意の関係であってよい。
【００７０】
≪第２コンテンツの音声データに関する処理≫
またさらに、同期信号挿入部４０５は、第１音声データ２０５ａに関する処理と同様に、制御部２０１からの指令により、クロック生成器４０７からのクロック、第２映像データ用基準時刻値、第２音声データ２０７ａに含まれるＰＴＳ等の再生タイミング・データ、および、第２コンテンツ・データに含まれるＳＣＲもしくはＰＣＲといった同期用データに基づき、第２音声データ２０７ａの再生タイミングの絶対的な基準時刻となる第２音声データ用基準時刻値を作成する。この第２音声データ用基準時刻値は、第２映像データ用基準時刻値と同一のスケールを持った参照時間軸で第２音声データ２０７ａの再生タイミングの絶対的な時刻を規定する。もって、この第２音声データ用基準時刻値と先述の第２映像データ用基準時刻値により、第２映像データ２０７ｖに含まれるＰＴＳ等再生タイミング・データと、第２音声データ２０７ａに含まれるＰＴＳ等再生タイミング・データの示す再生タイミングも、同一のスケールを持った参照時間軸上に規定される。同期信号挿入部４０５は、制御部２０１からの指令により、この第２音声データ用基準時刻値が記述されたパケットを含む第２音声同期データ（第３の受信器、即ち受信器１１１ｃに配信されるべき音声同期データ）を生成し、データ・ストリーム送出部２１１に送り、その後、第２音声データ２０７ａをデータ・ストリーム送出部２１１に向けて送る。送られた第２音声同期データは、データ・ストリーム送出部２１１から送出され（ステップＳ５１３）、第２音声データ２０７ａも、データ・ストリーム送出部２１１から送出される（ステップＳ５１５）。フローチャートより明らかだが、ステップＳ５１１において「ＮＯ」とされた音声データの場合、その音声データがデータ・ストリーム送出部２１１から送出（ステップＳ５１５）される直前における同期データの送出は行われない。
【００７１】
≪第３コンテンツの映像データに関する処理≫
また、同期信号挿入部４０５は、第１および第２映像データ２０５ｖおよび２０７ｖに関する処理と同様に、制御部２０１からの指令により、クロック生成器４０７からのクロック、第３映像データに含まれるＰＴＳ等再生タイミング・データ、および第３コンテンツ・データに含まれるＳＣＲもしくはＰＣＲといった同期用データに基づいて、第３映像データの再生タイミングの絶対的な基準時刻となる第３映像データ用基準時刻値を作成し、この第３映像データ用基準時刻値が記述されたパケットを含む第３映像同期データ（第３の受信器、即ち受信器１１１ｃに配信されるべき映像同期データ）を生成し、データ・ストリーム送出部２１１に向けて送出し、その後、第３映像データをデータ・ストリーム送出部２１１に向けて送出する。送られた第３映像同期データは、データ・ストリーム送出部２１１から送出され（ステップＳ５０７）、第３映像データ２０７ｖも、データ・ストリーム送出部２１１から送出される（ステップＳ５０９）。フローチャートより明らかだが、ステップＳ５０５において「ＮＯ」とされた映像データの場合、その映像データがデータ・ストリーム送出部２１１から送出（ステップＳ５０９）される直前における同期データの送出は行われない。
【００７２】
≪第３コンテンツの音声データに関する処理≫
最後に、同期信号挿入部４０５は、第１および第２映像データ２０５ｖおよび２０７ｖに関する処理と同様に、制御部２０１からの指令により、クロック生成器４０７からのクロック、第３映像データ用基準時刻値、第３送出映像音声データの第３映像データに含まれるＰＴＳ等再生タイミング・データ、および第３コンテンツ・データに含まれるＳＣＲもしくはＰＣＲといった同期用データに基づき、第３音声データの再生タイミングの絶対的な基準時刻となる第３音声データ用基準時刻値を作成し、この第３音声データ用基準時刻値が記述されたパケットを含む第３音声同期データ（第４の受信器、即ち受信器１１１ｄに配信されるべき音声同期データ）を生成し、データ・ストリーム送出部２１１に向けて送出し、その後、第３音声データをデータ・ストリーム送出部２１１に向けて送出する。送られた第３音声同期データは、データ・ストリーム送出部２１１から送出され（ステップＳ５１３）、第３音声データも、データ・ストリーム送出部２１１から送出される（ステップＳ５１５）。フローチャートより明らかだが、ステップＳ５１１において「ＮＯ」とされた音声データの場合、その映像データがデータ・ストリーム送出部２１１から送出（ステップＳ５１５）される直前における同期データの送出は行われない。
【００７３】
以上のようにして構成された各データ・ストリームは、データ・ストリーム送出部２１１よりアクセス・ポイント１０５に送出される（ステップＳ５０７、Ｓ５０９、Ｓ５１３、および、Ｓ５１５）。ここで、第１データ・ストリームは、第１映像データおよび第１映像同期データを含む。第２データ・ストリームは、第１音声データ、第１音声同期データ、第２映像データおよび第２映像同期データを含む。第３データ・ストリームは、第２音声データ、第２音声同期データ、第３映像データおよび第３映像同期データを含む。第４データ・ストリームは、第３音声データおよび第３音声同期データを含む。
【００７４】
第１、第２、第３および第４データ・ストリームは、無線伝送路を経てそれぞれ、第１、第２、第３、および、第４受信器１１１ａ〜ｄで受信される。
【００７５】
≪ＲＴＰおよびＲＴＣＰプロトコルの利用≫
上記データの送出にインターネットを用いる場合、データ・ストリーム送出部２１１は、各データ・ストリームをＲＴＰパケット化し、ＲＴＰパケットを、ＵＤＰもしくはＴＣＰ／ＩＰプロトコルによりアクセス・ポイント１０５を介して各受信器１１１ａ〜１１１ｄに送ることができる。なお、各データ・ストリームに含まれるデータの種類およびデータ・ストリームを識別するポート番号については予め所定の番号を割り当てておくこともできるし、各コンテンツの受信開始時に受信器が送信サーバと交渉することにより決定することも可能である。さらに、送信サーバ１０１と各受信器１１１ａ〜ｄとは、定期的に、ＲＴＣＰパケット（送信者レポートおよび受信者レポート）を交換することができる。
【００７６】
ＲＴＰパケットは、ヘッダ部にタイムスタンプを備えており、これによって、受信側において各データの同期再生が可能である。本実施形態においては、各映像データ、または、各音声データそれぞれについてデータ内の同期的再生（データ内の再生タイミングの相対的遅延の規定）に用いることができる。以下に、ＲＴＰデータ・パケットのフォーマットを示す。
【表１】
2007274019.tif 000003
【００７７】
ＲＴＣＰの送信者レポート（ＳＲ）は、ネットワーク時刻同期用プロトコル（ＮＴＰ）を備えており、上述のタイムスタンプと共に利用することで、映像データ間、音声データ間、または、映像データと音声データ間の同期が可能である。この場合、同期信号は、ＲＴＣＰのＳＲ内のＮＴＰとして、音声および／または映像データ（ＲＴＰパケット）とは別のプロトコル（ＲＴＣＰ）で送信されて、受信器側に絶対的時刻の情報と、該絶対的時刻とタイムスタンプに記されたタイミングとの対応関係を与える。ＲＴＰパケットには、ＮＴＰに対応付けたタイムスタンプを各データのＲＴＰパケットに記録することで音声および映像の出力の同期的再生が可能である。よって、各同期信号を、送出データ・ストリームに多重する必要はない。各同期信号は、ＲＴＣＰのＳＲにより各受信器に配信される。各受信器は、ＲＴＣＰのＳＲのＮＴＰと、ＮＴＰに対応付けられたＲＴＰパケットのタイムスタンプを用いて各データの再生を行えばよい。以下に、ＲＴＣＰ  ＳＲパケットのフォーマットを示す。
【表２】
2007274019.tif 000004
【００７８】
さらに、ＲＴＣＰ受信者レポート（ＲＲ）を用いて、各受信器は、通信にかかるジッタ等の情報を送信サーバ１０１に送り、データ配信の状況を送信元であるサーバ１０１に伝えて伝送状態を改善することも可能である。
【００７９】
＜データ・ストリームの再生動作＞
図７は、受信設備の受信器の構成を示すブロック図である。受信器１１１は、受信器１１１ａ〜ｄと同一の構成を有する。
【００８０】
アンテナ部１１３の受信したデータは、受信器１１１に送られる。そして、受信器１１１は、データのヘッダ部を解析し、受信器１１１に配信されたデータであることを確認し、受信データをデータ分離部７０１に送る。
【００８１】
データ分離部７０１は、受信データを解析し、受信データを、音声同期信号が含まれる音声同期信号パケットと、音声データが含まれる音声データ・パケットと、映像データが含まれる映像データ・パケットと、映像同期信号が含まれる映像同期信号パケットに分離する。
【００８２】
音声同期信号パケットは音声同期信号受信部７０３ａに送られ、音声データ・パケットはオーディオ受信部７０５ａに送られ、映像データ・パケットはビデオ受信部７０５ｖに送られ、映像同期信号パケットは映像同期信号受信部７０３ｖに送られる。
【００８３】
これより、音声データ・パケットの再生について説明を続ける。音声データ・パケットは、オーディオ受信部７０５ａからバッファ７０９ａに送られて一時的に記憶される。
【００８４】
一方で、音声同期信号パケットは、オーディオ復号クロック発生部７０７ａに送られ、オーディオ復号クロック発生部７０７ａは、音声同期信号パケットに基づいてクロックを調整し、適宜バッファ７０９ａに対してクロックを送る。
【００８５】
バッファ７０９ａは受けたクロックに基づき、一時記憶している音声データ・パケットに示されている再生タイミングの情報を用いて適当なタイミングでオーディオ・デコーダ７１１ａに送る。
【００８６】
音声データ・パケットを受けたオーディオ・デコーダ７１１ａは、音声データ・パケットを復号し、音声信号を生成し、生成された音声信号を音声出力端子１１７に送る。音声信号は、ヘッドフォン１１９より音声情報として再生される。
【００８７】
受信器１１１は、上記音声データ・パケットの再生と同時に、映像データ・パケットの再生を行う。映像データ・パケットは、ビデオ受信部７０５ｖからバッファ７０９ｖに送られて一時的に記憶される。
【００８８】
映像同期信号パケットは、ビデオ復号クロック発生部７０７ｖに送られ、ビデオ復号クロック発生部７０７ｖは、映像同期信号パケットに基づいてクロックを調整し、適宜バッファ７０９ｖに対してクロックを送る。
【００８９】
バッファ７０９ｖは受けたクロックに基づき、一時記憶している映像データ・パケットに示されている再生タイミングの情報を用いて適当なタイミングでビデオ・デコーダ７１１ｖに送る。
【００９０】
映像データ・パケットを受けたビデオ・デコーダ７１１ｖは、映像データ・パケットを復号し、映像信号を生成し、生成された映像信号を液晶ディスプレイ１１５に送る。映像信号は、液晶ディスプレイ１１５より映像情報として再生される。
【００９１】
このようにして、各受信器は、音声データおよび映像データの復号および再生を行う。
【００９２】
図８は、図６の例における第２受信器１１１ｂと第３受信器１１１ｃにおける音声および映像データの再生のタイミングを示す模式図である。以下、図８を参照しながら、異なる受信器間における同期の確保について説明する。
【００９３】
第２受信器１１１ｂは、第１音声同期信号パケット８０１と、第１音声データ・パケット８０３を用いて、第１音声を再生し、同時的に、第２映像同期信号パケット８０５と、第２映像データ・パケット８０７を用いて第２映像を再生する。
【００９４】
第２受信器１１１ｂにおいて、第１音声同期信号パケット８０１は、参照時間軸Ｔ１における時刻と、当該時刻と第１音声データ・パケット８０３の少なくとも１つの再生タイミングを対応付ける情報（図中の矢印）を提供する。第１音声データ・パケット８０３の各パケット間の相対的再生タイミングの間隔については、第１音声データ・パケット８０３の各パケットに含まれる再生タイミング・データを用いて調整される。第２映像同期信号パケット８０５は、参照時間軸Ｔ２における時刻と、第２映像データ・パケット８０３の少なくとも１つの再生タイミングを対応付ける情報（図中の矢印）を提供する。
【００９５】
他方、第３受信器１１１ｃにおいて、第２音声同期信号パケット８０９は、参照時間軸Ｔ２における時刻と、当該時刻と第２音声データ・パケット８１１の少なくとも１つの再生タイミングを対応付ける情報（図中の矢印）を提供する。第１音声データ・パケット８０３の各パケット間の相対的再生タイミングの間隔については、受信器１１１ｂと同様である。第３映像同期信号パケット８１３は、参照時間軸Ｔ３における時刻と、当該時刻と第３映像データ・パケット８１５の少なくとも１つの再生タイミングを対応付ける情報（図中の矢印）を提供する。
【００９６】
よって、第２受信器１１１ｂにおける映像の再生と、第３受信器１１１ｃにおける音声の再生とは、完全な同期を確保することができる。他の受信器においても同様に同期が完全に確保される。
【００９７】
なお、上述したように、参照時刻軸Ｔ１と参照時刻軸Ｔ２と参照時刻軸Ｔ３とは、互いに等しくとも、互いに相違するものであってもよい。
【００９８】
本実施形態は、旅客輸送施設の一形態である航空機を例として、本発明にかかるデジタル方式情報配信システムを旅客輸送施設における情報システムとして用いた例を示したが、旅客輸送施設は、航空機に限定されない。例えば、鉄道、船舶、自動車等に配された座席に受信器を備え付けて用いることも可能である。また、本発明は、旅客輸送施設内における使用に限定されない。さらに、受信器の使用は、座席に備え付けられた形態に限定されない。
【００９９】
（第２の実施形態）
本実施形態は、第１の実施形態と同様、本発明にかかるデジタル方式情報配信システムを用いた航空機客室内の情報システムである。
【０１００】
第１の実施形態によるシステムにおいて、送信設備に含まれる送信サーバは、要求を受けることで、例えば、受信器側からの視聴要求に応じることで、複数の受信器の個々に対しコンテンツの映像および／または音声の少なくとも１つを配信することが可能である。それに対し、本実施形態によるシステムにおいては、送信サーバは、１つまたは複数のコンテンツを、１つまたは複数の受信器に対し配信し、個々の受信器が、当該１つまたは複数のコンテンツのデータを受信し、コンテンツの映像および／または音声の少なくとも１つを選択的に再生する情報システムである。
【０１０１】
換言すれば、送信サーバは、マルチキャストで複数の受信器に対し映像および／または音声のデータを配信し、そして、受信器は、受信したデータに含まれる１つもしくは複数のコンテンツのための複数の音声および映像のデータから、必要なデータのみを選択的に再生する。本実施形態によるシステムによれば、送信サーバから複数の受信器に対して配信されるコンテンツのデータから１つのコンテンツを構成する一対の音声および映像データを選択的にかつ同期性を確保しつつ、個別の受信器において再生することができる。
【０１０２】
以下、本実施形態について説明するが、第１の実施形態と同様の構成・動作については、説明を省略する。また、図面において、既に参照した他の図面における参照数字と同じ参照数字を付した構成要素は、当該他の図面における構成要素と同じ構成要素を示すものとする。
【０１０３】
図９は、本実施形態によるデジタル方式情報配信システムを配した航空機客室内一部を側方より見た断面図である。
【０１０４】
＜送信設備構成概略＞
送信設備は、送信サーバ１１０１、および、電波中継機であるアクセス・ポイント１０５を有する。送信サーバ１１０１は、第１の実施形態における送信サーバ１０１と同様の機能を有し、さらに、配信するコンテンツに関する情報である番組表（コンテンツ参照テーブル）を適宜生成し、記憶し、更新し、受信設備に配信する機能を備える。
【０１０５】
送信サーバ１１０１の送出するデータ・ストリームは、有線伝送路１０３を介してアクセス・ポイント１０５に送られる。アクセス・ポイント１０５は、受信設備に対しデータの配信を行うことができる。また、アクセス・ポイント１０５は、受信設備を構成する個々の受信器間相互のデータ通信を中継することができる。
【０１０６】
＜受信設備構成概略＞
受信設備は、各座席ＳａおよびＳｂに配された第１および第２受信器１１１１ａおよび１１１１ｂを含む。第１および第２受信器１１１１ａおよび１１１１ｂは、それぞれ、アンテナ部１１３ａおよび１１３ｂ、液晶ディスプレイ１１５ａおよび１１５ｂ、音声出力およびコントローラ入力端子１１１７ａおよび１１１７ｂ、ヘッドフォン１１５ａおよび１１５ｂ、ならびに、コントローラ１１２１ａおよび１１２１ｂを有する。本実施形態においても、座席は図示したような２席に限定されない。航空機客室が３席以上の座席を備える場合、本システムは、第３以降の受信器等を備えることができる。
【０１０７】
第１および第２の受信器１１１１ａおよび１１１１ｂは、第１の実施形態における受信器１１１ａ等と同様の機能を有し、さらに、コントローラ１１２１ａおよび１１２１ｂからの入力に基づき、受信したデータに含まれる音声データおよび映像データを選択的に再生する機能、コントローラ１１２１ａおよび１１２１ｂからの入力を他の受信器に対し送信する機能、他の受信器におけるコントローラからの入力に関する情報を他の受信器から受信する機能、および、送信サーバ１１０１から配信されるコンテンツ参照テーブルを受信し、記憶し、更新し、適宜参照する機能を有する。
【０１０８】
＜送信サーバ１１０１の構成＞
図１０は、送信サーバ１１０１の構成を示すブロック図である。送信サーバ１１０１は、第１の実施形態における送信サーバ１０１と同様、制御部２０１、記憶部２０３、データ・ストリーム生成部２０９、データ・ストリーム送出部２１１を有する。さらに、制御部２０１は、コンテンツ参照テーブルを生成、適宜更新することができ、コンテンツ参照テーブルを記憶部２０３に記憶させ、記憶したコンテンツ参照テーブルを受信器に配信することができるコンテンツ参照テーブル生成部１２１７を備える。
【０１０９】
≪コンテンツ参照テーブル例≫
下表「コンテンツ参照テーブル」は、制御部２０１のコンテンツ参照テーブル生成部１２１７によって生成され、記憶部２０３に記憶されるコンテンツ参照テーブル１２１５の例である。
【表３】
2007274019.tif 000005
本表は、送信サーバ１１０１が、３種のコンテンツをマルチキャストで、各受信器（ホスト）に送信する場合に生成され記憶されるコンテンツ参照テーブルの例を示す。本表より明らかなように、送信サーバ１１０１は、各コンテンツを、互いに異なるマルチキャストアドレスへ送信することができる。また、各コンテンツに含まれる映像データ、映像同期信号データ、音声データ、音声同期信号データの使用するポート番号は同一コンテンツ内で異なり、かつ、コンテンツ間でも異なる。コンテンツ参照テーブル生成部１２１７は、各データと、その配信に用いられるアドレスやポート番号を対応付けるデータを生成し、記憶部２０３にコンテンツ参照テーブル１２１５として記憶させることができる。また、配信されるコンテンツに変更があったときは、随時、データの更新を行うことができる。送信サーバ１１０１は、コンテンツ参照テーブルに含まれる情報をデータとして、特定のマルチキャストアドレスに対し特定のポートを用いて、マルチキャストのサービスの開始時に配信することができる。このデータは、適当な形式で、所定のプロトコルで配信すればよい。また、データの更新があったときは、随時、更新されたデータを配信することもできる。
【０１１０】
なお、コンテンツ参照テーブルは、固定的なデータ・テーブルとして予め各受信器に記憶させておくことも可能である。その場合、コンテンツ参照テーブル生成部１２１７は、省略することができ、したがって、記憶部２０３にコンテンツ参照テーブルを記憶させる必要も無い。
【０１１１】
＜データ・ストリームの生成動作＞
本実施形態において、送信サーバ１１０１は、第１の実施形態における送信サーバ１０１と同様、記憶部２０３に記憶した１つまたは複数のコンテンツ・データを基にデータ・ストリームを生成する。各コンテンツ・データは、データ・ストリーム生成部２０９に送られ、データ・ストリーム生成部２０９は、送られた各コンテンツ・データを音声データ、映像データ、その他の制御データに分離し、音声データ、音声同期データ、映像データ、および、映像同期データを生成し、音声データ列（ストリーム）に適当なタイミングで音声同期データを挿入し、映像データ列（ストリーム）に映像同期データを適当なタイミングで映像同期データを挿入する。
【０１１２】
＜データ・ストリームの送出例＞
上掲の表「コンテンツ参照テーブル」に記載のように、３種のコンテンツをマルチキャストで配信する場合を例にとり、送信サーバ１１０１の行うデータ・ストリームの送出について説明する。
【０１１３】
ここで、第１コンテンツの音声データおよび映像データを第１音声データおよび第１映像データとし、第１音声データおよび第１映像データの同期信号データを第１音声同期データおよび第１映像同期データとする。第２コンテンツ、第３コンテンツについても同様の呼称を与えるものとする。
【０１１４】
データ・ストリーム送出部２１１は、第１コンテンツの映像のデータである第１映像データを構成するデータ・パケットを、マルチキャストアドレス２３９．１９２．３．１（第１マルチキャストアドレス）へ、ポート番号５２００２（第１映像ポート番号）を用いて送出し、第１映像同期データを、第１マルチキャストアドレスへ、ポート番号５２００３（第１映像同期ポート番号）を用いて送出する。
【０１１５】
音声のデータについても同様に、データ・ストリーム送出部２１１は、第１音声データを構成するデータ・パケットを、第１マルチキャストアドレスへ、ポート番号５３００２（第１音声ポート番号）を用いて送出し、第１音声同期データは、第１マルチキャストアドレスへ、ポート番号５３００３（第１音声同期ポート番号）を用いて送出する。
【０１１６】
第２コンテンツを構成するデータ、第３コンテンツを構成するデータについても同様に、データ・ストリーム送出部２１１は、それぞれのマルチキャストアドレスへ、データの種類毎に異なるポート番号を用いて送出する。
【０１１７】
＜データ・ストリーム再生動作＞
≪再生コンテンツの選択≫
図１１は、本実施形態における受信器１１１１の構成を示すブロック図である。受信器１１１１は、図９に示した第１の受信器１１１１ａ等と同一の構成を有するものである。受信器１１１１は、第１の実施形態における受信器１１１と同等の構成を有し、さらに、コンテンツ選択指令部１７１３を有する。
【０１１８】
コンテンツ選択指令部１７１３は、コントローラ１１２１からの入力を受けること、データ分離部７０１に、コントローラ１１２１からの入力に基づく信号を出力すること、ならびに、アンテナ部１１３を介して、送信サーバ１１０１の配信するコンテンツ参照テーブルに関するデータを受信すること、他の受信器に対しコントローラ１１２１からの入力に基づくデータを送信すること、および、他の受信器に接続された他のコントローラから他の受信器への入力に基づくデータを他の受信器から受信すること、ができる。
【０１１９】
マルチキャストグループに属するホストである第１および第２受信器１１１１ａおよび１１１１ｂは、送信サーバ１１０１からのマルチキャストのサービスの開始時に、送信サーバ１１０１からコンテンツ参照テーブルを受信することができる。
【０１２０】
コンテンツ参照テーブル（番組配信情報）の配信および取得の方法は、マルチキャスト・サービス開始時におけるデータのダウンロードに限定されない。受信器は常時、特定のマルチキャストアドレス、ポートを監視し当該ポート番号のデータ・パケットのデータに基づいてコンテンツ参照テーブルを生成、更新してもよい。例えば、データは例えばセッション記述プロトコル（ＳＤＰ）に従う形式を有することができる。ＳＤＰは所定のプロトコルで送信サーバ１１０１よりマルチキャストグループに属するホストである受信器に対し、定期的に送信されてもよい。
【０１２１】
なお、上述のように、コンテンツ選択指令部１７１３は、固定的なコンテンツ参照テーブルを記憶することができるような構成であってもよい。その場合、コンテンツ選択司令部１７１３がアンテナ部１１３を介して送信サーバ１１０１からコンテンツ参照テーブルに関するデータを受信可能であることは、必須の要件ではない。
【０１２２】
図１２は、乗客がコントローラ１１２１を用いてコンテンツを選択したときに、第１および第２受信器１１１１ａおよび１１１１ｂの行う処理のフローチャートである。
【０１２３】
例えば、座席Ｓｂ（図９参照。）に着席した乗客は、座席に備え付けられたコントローラ１１２１ｂを用いて視聴するコンテンツを選択することができる。ここでは、座席Ｓｂの乗客が、第２コンテンツの視聴を選択した場合を例としてコンテンツ再生にかかる第１および第２受信器１１１１ｂおよび１１１１ａの処理を説明する。
【０１２４】
≪コンテンツの選択に伴う再生映像切換≫
第２受信器１１１１ｂのコンテンツ選択司令部１７１３は、接続されたコントローラ１１２１ｂからの入力の有無について監視する（ステップＳ１２０１）。
【０１２５】
乗客がコントローラ１１２１ｂを使用して第２コンテンツの視聴を選択すると（ステップＳ１２０１における「ＹＥＳ」）、コンテンツ選択司令部１７１３は、アクセス・ポイント１０５を介し、前席の受信器（第１受信器１１１１ａ）に対し、第２受信器１１１１ｂにおいて第２コンテンツの視聴が選択されたことを通知する。
【０１２６】
第２受信器１１１１ｂのコンテンツ選択司令部は、第２受信器１１１１ｂのデータ分離部（７０１）に対し、分離すべき音声データおよび音声同期信号データに関する情報を送る。即ち、第２マルチキャストアドレスに対し第２音声ポート番号を用いて配信されるデータを音声データとして分離し、オーディオ受信部（７０５ａ）に送り、また、第２マルチキャストアドレスに対し第２音声同期ポート番号を用いて配信される音声同期信号データを音声同期信号受信部（７０３ａ）に送るようにパケットの振り分けを制御する指示を送る（ステップＳ１２０５）。よってこれ以後、第２受信器１１１１ｂは、第２コンテンツの音声を再生する。
【０１２７】
一方、第１受信器のコンテンツ選択司令部１７１３は、後席の受信器（第２受信器１１１１ｂ）からの通知の有無を監視する（ステップＳ１２１１）。
【０１２８】
第１受信器１１１１ａが、第２受信器１１１１ｂからコンテンツ選択の通知を受け取ると（ステップＳ１２１１における「ＹＥＳ」）、第１受信器１１１１ａのコンテンツ選択司令部は、第１受信器１１１１ａのデータ分離部（７０１）に対し、分離すべき映像データおよび映像同期信号データに関する情報を送る。即ち、第２マルチキャストアドレスに対し第２映像ポートを用いて配信されるデータを映像データとして分離し、（第１受信器の）ビデオ受信部（７０５ｖ）に送り、第２マルチキャストアドレスに対し第２映像同期ポートを用いて配信される映像同期信号データを（第１受信器の）映像同期信号受信部（７０３ｖ）に送るようにパケットの振り分けを制御する指示を送る（ステップＳ１２１３）。よってこれ以後、第１受信器１１１１ａは、第２コンテンツの映像を再生する。
【０１２９】
なお、ある受信器からその他の受信器に対し行われるコンテンツ選択の通知は、所定のポートを用いて行われる。各受信器は、特定のポート番号で送られるデータを常時監視し、再生すべきコンテンツの変更の通知を認識することができる。
【０１３０】
当然のことながら、第２の受信器１１１１ｂは、後席の受信器である第３の受信器からのコンテンツ選択の通知を、第１の受信器１１１１ａと同様に受取って再生すべき映像を切り換えることができる。
【０１３１】
このように、本実施形態においては、送信サーバ１１０１の配信する複数のコンテンツのデータから、１つのコンテンツを構成する映像および音声を選択的に別個の受信器において同期性を確保しつつ再生することが可能である。
【０１３２】
なお、第１および第２の実施形態において、本発明にかかるデジタル方式情報配信システムは、送信設備と受信設備とを結ぶ伝送路の一部に無線伝送路を用いた形態で示されている。しかしながら、伝送路の少なくとも一部に、無線伝送路が含まれることは本発明にとって必須の要件ではない。
【０１３３】
伝送路として有線伝送路を用い、送信設備と受信設備とを接続する場合、送信設備のアクセス・ポイント１０５、ならびに、各受信器１１１もしくは各受信器１１１１のアンテナ部１１３を省略することができる。送信サーバ１０１もしくは送信サーバ１１０１と、各受信器１１１もしくは各受信器１１１１とは、有線伝送路で接続すればよい。
【０１３４】
伝送路に有線伝送路を用いた本願のデジタル方式情報配信システムにおいても、各受信器１１１もしくは１１１１は、それぞれが再生すべきデータ・ストリームのみをデコードし、自身で再生する。そのため、従来のシステムのように、ある受信器がデータ・ストリーム（例えば、音声ストリーム）を受信し、デコードし、デコードされた情報（例えば、音声）を別の受信器（例えば、後席の受信器）に向けて有線伝送路を介して送り直す必要がない。そのため、本発明にかかるデジタル方式情報配信システムは、送信サーバからデータが送出されてからそのデータが再生されるまでにかかる遅延時間を、従来のシステムで発生する遅延時間よりも、短縮化することができる。よって、例えば、ビデオ・オン・デマンド（ＶＯＤ）に関し応答時間を、従来のシステムにおいて要した応答時間よりも、短縮化することができる。
【産業上の利用可能性】
【０１３５】
本発明にかかるデジタル方式情報配信システムは、システムを構成する複数の受信器相互間の同期を要することなく、第１の受信器において第１のデータを再生する第１の再生タイミングと、第２の受信器において第２データを再生する再生タイミングが実質的に完璧に同期される。本発明は、デジタル方式で映像信号および音声信号の少なくともいずれかを送信する送信設備ならびに当該信号を受信する受信設備を有する情報システム等として有用である。
【図面の簡単な説明】
【０１３６】
【図１】第１の実施形態によるデジタル方式情報配信システムの構成を示す模式図
【図２】第１の実施形態による送信設備の構成を示すブロック図
【図３】コンテンツ・データの構成を示す模式図
【図４】データ・ストリーム生成部の構成を示すブロック図
【図５】送出コンテンツ・データの生成動作のフローチャート
【図６】客室内における情報配信例を示す模式図
【図７】第１の実施形態による受信器の構成を示すブロック図
【図８】第２受信器と第３受信器における同期した映像および音声の再生の様子を示す模式図
【図９】第２の実施形態によるデジタル方式情報配信システムの構成を示す模式図
【図１０】第２の実施形態による送信設備の構成を示すブロック図
【図１１】第２の実施形態による受信器の構成を示すブロック図
【図１２】一つの受信器においてコンテンツが選択された場合に、他の受信器にその通知を行い、他の受信器において選択されたコンテンツの映像を再生する処理のフローチャート
【符号の説明】
【０１３７】
Ｓａ〜ｄ      座席
１０１        送信サーバ
１０３        有線伝送路                １０５        アクセス・ポイント
１０７        客室天井部                １０９        無線伝送路
１１１ａ〜ｄ  受信器                    １１３ａ〜ｄ  アンテナ部
１１５ａ〜ｄ  液晶ディスプレイ          １１７ａ〜ｄ  音声出力端子
１１９ａ〜ｄ  ヘッドフォン
２０１        制御部
２０３        記憶部
２０５        第１コンテンツ・データ
２０５ａ      第１音声データ            ２０５ｖ      第１映像データ
２０７        第２コンテンツ・データ
２０７ａ      第２音声データ            ２０７ｖ      第２映像データ
２０９        データ・ストリーム生成部  ２１１        データ・ストリーム送出部
２１３        外部入力端子
４０１        Ａ／Ｖ分離部              ４０３        Ａ／Ｖ再多重部
４０５        同期信号多重部            ４０７        クロック生成部
７０１        データ分離部
７０３ａ      音声同期信号受信部        ７０３ｖ      映像同期信号受信部
７０５ａ      オーディオ受信部          ７０５ｖ      ビデオ受信部
７０７ａ      オーディオ復号クロック発生部
７０７ｖ      ビデオ復号クロック発生部
７０９ａ      バッファ                  ７０９ｖ      バッファ
７１１ａ      オーディオ・デコーダ      ７１１ｖ      ビデオ・デコーダ
８０１        第１音声同期信号パケット  ８０３        第１音声データ・パケット
８０５        第２映像同期信号パケット  ８０７        第２映像データ・パケット
８０９        第２音声同期信号パケット  ８１１        第２音声データ・パケット
８１３        第３映像同期信号パケット  ８１５        第３映像データ・パケット
１１０１      送信サーバ              １１１１      受信器
１１１１ａ    第１受信器              １１１１ｂ    第２受信器
１１２１ａ    第１受信器のコントローラ
１１２１ｂ    第２受信器のコントローラ
１２１５      コンテンツ参照テーブル
１２１７      コンテンツ参照テーブル生成部
１７１３      コンテンツ選択司令部
【図１】
2007274019.tif 000006
【図２】
2007274019.tif 000007
【図３】
2007274019.tif 000008
【図４】
2007274019.tif 000009
【図５】
2007274019.tif 000010
【図６】
2007274019.tif 000011
【図７】
2007274019.tif 000012
【図８】
2007274019.tif 000013
【図９】
2007274019.tif 000014
【図１０】
2007274019.tif 000015
【図１１】
2007274019.tif 000016
【図１２】
2007274019.tif 000017
【手続補正書】
【提出日】平成19年6月1日(2007.6.1)
【手続補正１】
【補正対象書類名】特許請求の範囲
【補正対象項目名】全文
【補正方法】変更
【補正の内容】
【特許請求の範囲】
【請求項１】
送信サーバを備え伝送路を介してデータ・パケットをデジタル方式で配信する送信設備と、前記データ・パケットを受信する第１受信器および第２受信器を備えた受信設備を有するデジタル方式情報配信システムであって、
前記送信サーバは、
第１コンテンツの映像情報のデジタル・データを含む第１映像データ・パケットと、第１映像同期信号を含む第１映像同期信号パケットと、前記第１コンテンツの音声情報のデジタル・データを含む第１音声データ・パケットと、第１音声同期信号を含む第１音声同期信号パケットを生成する生成部、および、
前記第１映像データ・パケットおよび前記第１映像同期信号パケットを、前記第１受信器に向けて配信し、前記第１音声データ・パケットおよび前記第１音声同期信号パケットを、前記第２受信器に向けて配信可能な送出部を有し、
前記第１受信器は、前記第１映像データ・パケットおよび前記第１映像同期信号パケットを受信可能であって、
前記第１映像データ・パケットをバッファリングする第１バッファ部と、
前記第１映像同期信号パケットに基づいてクロックを調整可能な第１クロック生成部と、
前記第１クロック生成部の発する第１クロックに基づいて前記第１映像データ・パケットを再生する第１デコーダ部を含み、
前記第２受信器は、前記第１音声データ・パケットおよび前記第１音声同期信号パケットを受信可能であって、
前記第１音声データ・パケットをバッファリングする第２バッファ部と、
前記第１音声同期信号パケットに基づいてクロックを調整可能な第２クロック生成部と、
前記第２クロック生成部の発する第２クロックに基づいて前記第１音声データ・パケットを再生する第２デコーダ部を含むデジタル方式情報配信システム。
【請求項２】
前記生成部は、さらに、
第２コンテンツの映像情報のデジタル・データを含む第２映像データ・パケットと、第２映像同期信号を含む第２映像同期信号パケットを生成可能であり、
前記送出部は、さらに、
前記第２映像データ・パケットおよび前記第２映像同期信号パケットを、前記第２受信器に向けて配信可能であり、
前記第２受信器は、前記第２映像データ・パケットおよび前記第２映像同期信号パケットを受信可能であって、さらに、
前記第２映像データ・パケットをバッファリングする第３バッファ部と、
前記第２映像同期信号パケットに基づいてクロックを調整可能な第３クロック生成部と、
前記第３クロック生成部の発する第３クロックに基づいて前記第２映像データ・パケットを再生する第３デコーダ部を含む請求項１に記載のデジタル方式情報配信システム。
【請求項３】
前記第１映像データ・パケットは、前記第１映像データ・パケットが再生されるタイミングの情報である第１映像再生タイミング・データを含み、
前記第２映像データ・パケットは、前記第２映像データ・パケットが再生されるタイミングの情報である第２映像再生タイミング・データを含み、
前記第１音声データ・パケットは、前記第１音声データ・パケットが再生されるタイミングの情報である第１音声再生タイミング・データを含む請求項２に記載のデジタル方式情報配信システム。
【請求項４】
前記第１映像同期信号は、前記第１映像再生タイミング・データを所定の第１参照時間軸上の第１の時刻に対応付ける第１映像データ再生用基準時刻値を含み、
前記第１音声同期信号は、前記第１音声再生タイミング・データを前記所定の第１参照時間軸上の第２の時刻に対応付ける第１音声データ再生用基準時刻値を含む請求項３に記載のデジタル方式情報配信システム。
【請求項５】
前記第２映像同期信号は、前記第２映像再生タイミング・データを所定の第２参照時間軸上の第３の時刻に対応付ける第２映像データ再生用基準時刻値を含む請求項４に記載のデジタル方式情報配信システム。
【請求項６】
送信設備は、さらに、前記送信サーバと有線伝送路で接続された電波中継機を備え、
前記電波中継機と前記受信設備との間に含まれる前記伝送路は、無線伝送路である請求項１に記載のデジタル方式情報配信システム。
【請求項７】
前記送信サーバの送出部は、前記第１受信器および前記第２受信器に、前記第１コンテンツを含む１つまたは複数のコンテンツのデータ・パケットをマルチキャスト方式で配信する請求項１に記載のデジタル方式情報配信システム。
【請求項８】
前記送信サーバは、さらに、前記１つまたは複数のコンテンツの配信方法に関する情報であるコンテンツ参照テーブルを生成するコンテンツ参照テーブル生成部を備え、
前記送出部は、前記第１受信器および前記第２受信器に、前記コンテンツ参照テーブルを配信する請求項７に記載のデジタル方式情報配信システム。
【請求項９】
前記コンテンツ参照テーブルは、前記１つまたは複数のコンテンツのいずれかに含まれる音声データ・パケット、音声同期信号パケット、映像データ・パケット、および、映像同期信号パケットそれぞれについて、前記送出部が送出に用いるポート番号およびマルチキャストアドレスの少なくともいずれか１つに関する情報を含む請求項８に記載のデジタル方式情報配信システム。
【請求項１０】
伝送路を介して受信器に向けてデータ・パケットをデジタル方式で配信する送信サーバであって、
コンテンツの映像情報のデジタル・データを含む映像データ・パケットと、映像同期信号を含む映像同期信号パケットと、同コンテンツの音声情報のデジタル・データを含む音声データ・パケットと、音声同期信号を含む音声同期信号パケットを生成する生成部、および、
前記映像データ・パケットおよび前記映像同期信号パケットを、第１受信器に向けて配信し、前記音声データ・パケットおよび前記音声同期信号パケットを、第２受信器に向けて配信可能な送出部を有する送信サーバ。
【請求項１１】
前記映像データ・パケットは、前記映像データ・パケットが再生されるタイミングの情報である映像再生タイミング・データを含み、
前記音声データ・パケットは、前記音声データ・パケットが再生されるタイミングの情報である音声再生タイミング・データを含む請求項１０に記載の送信サーバ。
【請求項１２】
前記映像同期信号は、前記映像再生タイミング・データを所定の参照時間軸上の第１の時刻に対応付ける映像データ再生用基準時刻値を含み、
前記音声同期信号は、前記音声再生タイミング・データを前記所定の参照時間軸上の第２の時刻と対応付ける音声データ再生用基準時刻値を含む請求項１１に記載の送信サーバ。
【請求項１３】
前記映像情報および前記音声情報はそれぞれ、ＭＰＥＧ方式で圧縮符号化され、
前記映像再生タイミング・データは、前記映像情報のプレゼンテーション・タイム・スタンプに基づくデータであり、前記音声再生タイミング・データは、前記音声情報のプレゼンテーション・タイム・スタンプに基づくデータである請求項１２に記載の送信サーバ。
【請求項１４】
前記送出部は、前記映像データ・パケットおよび前記音声データ・パケットを、ＲＴＰパケットとして配信し、前記映像同期信号パケットおよび前記音声同期信号パケットを、ＲＴＣＰパケットとして配信する請求項１０に記載の送信サーバ。
【請求項１５】
前記送出部は、前記第１受信器および前記第２受信器に、前記コンテンツを含む１つまたは複数のコンテンツのデータ・パケットをマルチキャスト方式で配信する請求項１０に記載の送信サーバ。
【請求項１６】
さらに、前記１つまたは複数のコンテンツの配信方法に関する情報であるコンテンツ参照テーブルを生成するコンテンツ参照テーブル生成部を備え、
前記送出部は、前記第１受信器および前記第２受信器に、前記コンテンツ参照テーブルを配信する請求項１５に記載の送信サーバ。
【請求項１７】
前記コンテンツ参照テーブルは、前記１つまたは複数のコンテンツのいずれかに含まれる音声データ・パケット、音声同期信号パケット、映像データ・パケット、および、映像同期信号パケットそれぞれについて、前記送出部が送出に用いるポート番号およびマルチキャストアドレスの少なくともいずれか１つに関する情報を含む請求項１６に記載の送信サーバ。
【請求項１８】
伝送路を介して配信される第１コンテンツの映像情報のデジタル・データを含む第１映像データ・パケットと前記第１映像データ・パケットの映像同期信号を含む第１映像同期信号パケットと、第２コンテンツの音声情報のデジタル・データを含む第２音声データ・パケットと前記第２音声データ・パケットの音声同期信号を含む第２音声同期信号パケットとを受信する受信器であって、
前記第１映像データ・パケットをバッファリングする第１バッファ部、
前記第２音声データ・パケットをバッファリングする第２バッファ部、
前記第１映像同期信号パケットに基づいてクロックを調整可能な第１クロック生成部、
前記第２音声同期信号パケットに基づいてクロックを調整可能な第２クロック生成部、
前記第１クロック生成部の発する第１クロックに基づいて前記第１映像データ・パケットを再生する第１デコーダ部、および、
前記第２クロック生成部の発する第２クロックに基づいて前記第２音声データ・パケットを再生する第２デコーダ部を有する受信器。
【請求項１９】
マルチキャスト方式で配信される前記第１映像データ・パケットと、前記第１映像同期信号パケットと、前記第２音声データ・パケットと、前記第２音声同期信号パケットの受信に加え、同じくマルチキャスト方式で配信される、前記第１コンテンツの音声情報のデジタル・データを含む第１音声データ・パケットおよび前記第１音声データ・パケットの音声同期情報を含む第１音声同期信号パケット、ならびに、前記第２コンテンツの映像情報のデジタル・データを含む第２映像データ・パケットおよび前記第２映像データ・パケットの映像同期情報を含む第２映像同期信号パケット、を受信することができ、
さらに、受信した、前記第１映像データ・パケット、前記第１映像同期信号パケット、前記第１音声データ・パケット、前記第１音声同期信号パケット、前記第２映像データ・パケット、前記第２映像同期信号パケット、前記第２音声データ・パケット、および、前記第２音声同期信号パケットのうち、
前記第１デコーダ部には、前記第１映像データ・パケットを前記第１映像同期信号パケットに基づいて再生させ、前記第２デコーダ部には、前記第２音声データ・パケットを前記第２音声同期信号パケットに基づいて再生させるように前記第１バッファ部、前記第２バッファ部、前記第１クロック生成部、前記第２クロック生成部に送られるパケットの振り分けを制御する、コンテンツ選択司令部を有する請求項１８に記載の受信器。
【請求項２０】
前記受信器は、旅客輸送施設における座席に備え付けられる請求項１８に記載の受信器。
【請求項２１】
伝送路を介して複数のデータ・パケットをデジタル方式で配信する送信設備と、前記複数のデータ・パケットを受信する受信器を少なくとも２つ備える受信設備を有するデジタル方式情報配信システムにおいて、前記送信設備から前記複数のデータ・パケットを前記受信設備の第１受信器および第２受信器に送出する方法であって、
コンテンツの映像情報のデジタル・データである第１送出データ・パケットを生成する第１生成ステップと、
同コンテンツの音声情報のデジタル・データである第２送出データ・パケットを生成する第２生成ステップと、
前記第１送出データ・パケットの再生タイミングを所定の参照時間軸における第１の時刻に対応付ける第１データ用基準時刻値を含む第１同期信号パケットを生成する第３生成ステップと、
前記第２送出データ・パケットの再生タイミングを前記所定の参照時間軸における第２の時刻に対応付ける第２データ用基準時刻値を含む第２同期信号パケットを生成する第４生成ステップと、
前記第１送出データ・パケットおよび前記第１同期信号パケットを第１受信器に向けて送出する第１送出ステップと、
前記第２送出データ・パケットおよび前記第２同期信号パケットを第２受信器に向けて送出する第２送出ステップを有する方法。
【請求項２２】
前記第１送出ステップは、前記第１送出データ・パケットをＲＴＰパケットとして、前記第１同期信号をＲＴＣＰパケットとして送出し、
前記第２送出ステップは、前記第２送出データ・パケットをＲＴＰパケットとして、前記第２同期信号をＲＴＣＰパケットとして送出する請求項２１に記載の方法。
【請求項２３】
前記第１送出ステップと前記第２送出ステップは、マルチキャスト方式を用いてデータ・パケットを送出し、
さらに、前記コンテンツの配信方法に関する情報であるコンテンツ参照テーブルを生成するステップと、
前記コンテンツ参照テーブルを前記第１受信器および前記第２受信器に配信するステップを有する請求項２１に記載の方法。